(57)【要約】【課題】プラズマディスプレイパネル付着用両面テープ及びそれを備えたプラズマディスプレイ装置を提供する。【解決手段】第１接着面４１と第１接着面４１の反対側に形成された第２接着面とを備え、第１及び第２接着面には、接着面の幅方向に延びた谷部４３と谷部４３の間に突出した凸状部４２とによって形成された複数の屈曲部が提供されることを特徴とするプラズマディスプレイパネル接着用の両面テープ４０及びそれを備えたプラズマディスプレイ装置である。【選択図】図４
2006113582.tif 000002
【特許請求の範囲】
【請求項１】
第１接着面と前記第１接着面の反対側に形成された第２接着面とを備え、前記第１及び第２接着面には、当該接着面の幅方向に延びた谷部と当該谷部の間に突出した凸状部とによって形成された複数の屈曲部が提供されることを特徴とするプラズマディスプレイパネル接着用の両面テープ。
【請求項２】
第１接着面と前記第１接着面の反対側に形成された第２接着面とを備え、外部圧力が加えられる時に空気の排出が可能になるように、内側に幅方向に延びた通気口が備えられたことを特徴とするプラズマディスプレイパネル接着用の両面テープ。
【請求項３】
ウィンドウが形成された前面ケース及び、当該前面ケースに結合されて内部空間を形成する背面ケースと、
前記前面ケースと背面ケースとによって形成される内部空間に設置され、前面基板及び背面基板を備えるプラズマディスプレイパネルと、
前記プラズマディスプレイパネルを保持するシャーシベースと、
前記背面基板と前記シャーシベースとの間に接着されるものであって、第１接着面と当該第１接着面の反対側に形成された第２接着面とを備え、前記第１及び第２接着面には、当該接着面の幅方向に延びた谷部と当該谷部の間に突出した凸状部とによって形成された複数の屈曲部が提供される両面テープと、を備えるプラズマディスプレイ装置。
【請求項４】
ウィンドウが形成された前面ケース及び、当該前面ケースに結合されて内部空間を形成する背面ケースと、
前記前面ケースと背面ケースとによって形成された内部空間に設置され、前面基板及び背面基板を備えるプラズマディスプレイパネルと、
前記プラズマディスプレイパネルを保持するシャーシベースと、
前記プラズマディスプレイパネルと前記シャーシベースとを接着するものであって、第１接着面と当該第１接着面の反対側に形成された第２接着面とを備え、外部圧力が加えられる時に空気の排出が可能になるように、内側に幅方向に延びた通気口が備えられた両面テープと、を備えるプラズマディスプレイ装置。
【発明の詳細な説明】
【技術分野】
【０００１】
本発明は、プラズマディスプレイパネル（ＰＤＰ：Ｐｌａｓｍａ  Ｄｉｓｐｌａｙ  Ｐａｎｅｌ）付着用の両面テープ及びそれを備えたＰＤＰ装置に関わり、さらに詳細には、付着力が向上したＰＤＰ付着用の両面テープ及びそれを備えたプラズマディスプレイ装置に関する。
【背景技術】
【０００２】
プラズマディスプレイ装置は、ガス放電現象を利用して、画像を表示する平板ディスプレイ装置であって、表示容量、輝度、コントラスト、残像及び視野角などの各種の表示能力に優れ、薄型であり、大画面表示が可能であって、陰極線管（ＣＲＴ：Ｃａｔｈｏｄｅ  Ｒａｙ  Ｔｕｂｅ）を代替できる次世代の大型平板ディスプレイ装置として注目を浴びている。プラズマディスプレイ装置には、ガラス基板で構成されたＰＤＰ、及び前記パネルを支持するためのシャーシベースが備えられている。
【０００３】
図１は、通常的なＰＤＰの支持構造についての概略的な斜視図である。
【０００４】
図面を参照すれば、ＰＤＰ１１は、前面基板１２と背面基板１３とで構成されており、前記背面基板１３の背面には、熱伝逹用シート１４が付着されている。ＰＤＰ１１は、通常的に、アルミニウムのような金属材料で製作されたシャーシベース１５によって支持される。ＰＤＰ１１は、両面テープ１６を利用して、シャーシベース１５の前面に付着される。図面に示されたように、両面テープ１６は、熱伝逹用シート１４に対応する部分を回避しつつ、横方向及び縦方向に延びる。すなわち、両面テープ１６と熱伝逹用シート１４とは、相互に重畳されないように配置される。シャーシベース１５のエッジ部分には、固定部１５ａが形成され、固定部１５ａは、シャーシベース１５をケース（図示せず）のような他の部材に連結された状態で固定させるためのものである。
【０００５】
図２は、図１に示された通常的なプラズマディスプレイ支持構造の組立て状態を示す断面図である。
【０００６】
図面を参照すれば、ＰＤＰ１１は、シャーシベース１５の前面に両面テープ１６を介して付着されている。熱伝逹用シート１４は、ＰＤＰ１１の背面とシャーシベース１５の前面との間で密着されることによって、ＰＤＰ１１から発生する熱をシャーシベース１５に伝達する役割を果たす。
【０００７】
図３は、図１及び図２に示された両面テープについての概略的な斜視図である。
【０００８】
図面を参照すれば、両面テープ１６は、厚さｔを有し、両面テープ１６の一面に第１接着面３１と、その反対側に第２接着面（図示せず）とを有する。図示されたように、両面テープ１６は、その両側に形成された接着面が平坦面になっている。
【０００９】
前述したようなＰＤＰの支持構造は、ＰＤＰ１１とシャーシベース１５とを両面テープ１６で接着させる接着力が十分ではないという問題点を有する。接着力の弱化の原因は、色々があるが、そのうちの一つは、両面テープ１６を利用してＰＤＰ１１を接着するとき、空気が両面テープ１６の接着面に流入されることである。両面テープ１６の接着面の内側に流入された空気は、両面テープ１６によって取り囲まれることによって気泡を形成し、気泡は、装置の温度が上昇する時に膨脹するため、両面テープ１６をＰＤＰ１１またはシャーシベース１５から離脱させるように作用する。
【００１０】
一方、両面テープ１６を利用してＰＤＰ１１と両面テープ１６とを接着させる時には、ＰＤＰ１１とシャーシベース１５との接着面積を十分に確保するために互いに加圧する。このとき、両面テープ１６は、厚さが薄くなりつつ、接着面がＰＤＰ１１とシャーシベース１５とに加圧されるが、両面テープ１６の厚さの減少には限界があるため、加圧力を十分に上げられなくなる。したがって、十分でない加圧力に起因して、接着力が不十分となるという問題点がある。
【発明の開示】
【発明が解決しようとする課題】
【００１１】
本発明は、前記問題点を解決するために案出されたものであって、本発明が解決しようとする目的は、ＰＤＰとシャーシベースとの接着力が向上したディスプレイパネル付着用の両面テープ及びそれを備えたプラズマディスプレイ装置を提供することである。
【課題を解決するための手段】
【００１２】
前記目的を達成するために、本発明によれば、第１接着面と前記第１接着面の反対側に形成された第２接着面とを備え、前記第１及び第２接着面には、当該接着面の幅方向に延びた谷部と当該谷部の間に突出した凸状部とによって形成された複数の屈曲部が提供されることを特徴とするＰＤＰ接着用の両面テープが提供される。
【００１３】
また、本発明によれば、第１接着面と前記第１接着面の反対側に形成された第２接着面とを備え、外部圧力が加えられる時、空気の排出が可能になるように、内側に幅方向に延びた通気口が備えられたことを特徴とするＰＤＰ接着用の両面テープが提供される。
【００１４】
また、本発明によれば、ウィンドウが形成された前面ケース及び当該前面ケースに結合されて内部空間を形成する背面ケースと、前記前面ケースと背面ケースとによって形成された内部空間に設置され、前面基板及び背面基板を備えるＰＤＰと、前記ＰＤＰを保持するシャーシベースと、前記背面基板と前記シャーシベースとの間に接着されるものであって、第１接着面と前記第１接着面の反対側に形成できた第２接着面とを備え、前記第１及び第２接着面には、当該接着面の幅方向に延びた谷部と当該谷部の間に突出した凸状部によって形成された複数の屈曲部が提供される両面テープと、を備えるプラズマディスプレイ装置が提供される。
【００１５】
また、本発明によれば、ウィンドウが形成された前面ケース、及び当該前面ケースに結合されて内部空間を形成する背面ケースと、前記前面ケースと背面ケースとによって形成された内部空間に設置され、前面基板及び背面基板を備えるＰＤＰと、前記ＰＤＰを保持するシャーシベースと、前記ＰＤＰと前記シャーシベースとを接着するものであって、第１接着面と当該第１接着面の反対側に形成された第２接着面とを備え、外部圧力が加えられる時、空気の排出が可能になるように、内側に幅方向に延びた通気口が備えられた両面テープと、を備えるプラズマディスプレイ装置が提供される。
【発明の効果】
【００１６】
本発明に係るＰＤＰ接着用の両面テープ及びそれを備えたプラズマディスプレイ装置は、ＰＤＰをシャーシベースに十分に接着させ、接着時に作用する圧力を増加させることができる。このように強化された接着力は、プラズマディスプレイ装置の内部の温度上昇のような厳しい条件でも、ＰＤＰがシャーシベースから脱落しないようにする。また、ＰＤＰの使用時間が長くなるほど接着力が弱まり、使用寿命が短縮されることを防止する。
【発明を実施するための最良の形態】
【００１７】
以下、本発明を図面に示された実施形態を参考としてさらに詳細に説明する。
【００１８】
図４は、本発明に係るＰＤＰ付着用の両面テープの第１実施形態を概略的に示す斜視図である。
【００１９】
図面を参照すれば、本発明の両面テープ４０は、第１接着面４１と、前記第１接着面の反対側に形成された第２接着面（図示せず）とを有する。本発明の一特徴として、第１及び第２接着面は、屈曲面に形成される。図示されたように、第１接着面４１に形成された屈曲面は、両面テープ４０の幅方向に延びた谷部４３と、前記谷部４３の間に凸状に突出した凸状部４２とを備える。このような谷部４３と凸状部４２とは、第２接着面（図示せず）にも同様に形成されうる。
【００２０】
本発明の両面テープ４０に形成された屈曲面の谷部４３は、両面テープの接着時に空気の排出を可能にする。すなわち、図１に示されたＰＤＰ１１とシャーシベース１５との間に本発明による両面テープ４０を配置しかつ加圧する間に、両面テープ４０の表面に存在する空気は、何れも谷部４３に沿って外部に排出されうる。また、凸状部４２だけでなく、谷部４３にも接着物質が塗布されているので、実際には、凸状部４２と谷部４３の何れもが対応する表面に接着がなされうる。すなわち、谷部４３は、空気を排出させる通路の役割を果たすだけでなく、空気の排出後には、対応するＰＤＰ１１の表面またはシャーシベース１５の表面に付着されることによって、付着面積を確保する。
【００２１】
図５は、本発明に係るＰＤＰ接着用の両面テープの第２実施形態について概略的に示す斜視図である。
【００２２】
本発明の両面テープ５０は、第１接着面５１と、前記第１接着面５１の反対側に形成された第２接着面（図示せず）とを有する。本発明の他の特徴として、両面テープ５０は、多孔性に製作される。特に、図５に示された実施形態では、両面テープ５０の幅方向に延びた複数の通気口５３が形成される。通気口５３が形成されることによって、両面テープ５０は、緩衝性をさらに有する。すなわち、両面テープ５０に加えられる圧力が存在するとき、両面テープ５０の厚さの減少比率は、通気口５３に起因して上昇し、このような厚さの減少比率は、通気口がないものに比べて非常に大きい。このように、厚さの減少比率が上昇する理由は、両面テープ５０の内部に形成された通気口５３を通じて空気が排出されるためである。両面テープ５０に加えられる圧力が除去されれば、再び本来の厚さに復元されうる。
【００２３】
図５に示されたような両面テープ５０をＰＤＰの接着用として適用する場合には、ＰＤＰ１１とシャーシベース１５とが互いに接着されたときに、ＰＤＰ１１とシャーシベース１５との間に加えられる圧力が高まりうる。すなわち、本発明の両面テープ５０は、通気口５３を備えることによって、外部圧力が高まる時に両面テープ５０の厚さが薄くなることによって、そのような外部圧力を受容できる。このように、外部圧力の増加を許容する両面テープ５０は、通常的な他のテープに比べて、ＰＤＰ１１やシャーシベース１５にさらに強く接着されうる。したがって、接着力の向上が可能になり、ＰＤＰ１１とシャーシベース１５との間で十分な接着力を提供できる。
【００２４】
図６は、本発明に係る両面テープがＰＤＰとベースシャーシとの間に付着されたところを概略的に示す斜視図である。
【００２５】
図面を参照すれば、ＰＤＰは、前面基板６１と背面基板６２とを備え、背面基板６２の背面には、熱伝逹用シート６３が付着されている。本発明の両面テープ４０は、ＰＤＰの背面基板６２とシャーシベース６５との間で前記熱伝逹用シート６３を回避した位置に配置される。前述したように、ＰＤＰをシャーシベース６５に加圧すれば、空気が両面テープ４０に形成された谷部４３（図４参照）を通じて排出されつつ接着がなされる。図面の符号６６は、固定部を表す。
【００２６】
図７は、本発明に係るＰＤＰ接着用の両面テープを備えるプラズマディスプレイ装置についての概略的な斜視図である。
【００２７】
図面を参照すれば、本発明によるプラズマディスプレイ装置は、ウィンドウが形成された前面ケース７１と、前記前面ケース７１に結合されて内部空間を形成する背面ケース７４と、前記内部空間に設置されるフィルタホルダー７３と、前記フィルタホルダー７３によって保持され、前面ケース７１のウィンドウを通じて露出されるフィルタ７２と、前記フィルタ７２の背面に位置し、前面基板６１と背面基板６２とを備えるＰＤＰ６０と、前記ＰＤＰ６０を保持するシャーシベース６５と、前記ＰＤＰ６０とシャーシベース６５とを互いに接着させる両面テープ４０と、を備える。両面テープ４０は、図４に示されたような谷部４３と凸状部４２とを備えたものであるが、これとは異なり、図５に示されたような、通気口５３を備えた両面テープ５０でありうる。前記シャーシベース６５の背面には、印刷回路基板（図示せず）が設置されており、印刷回路基板には、複数の電子部品が装着されることによってＰＤＰ６０を駆動する。
【００２８】
本発明は、図面に示された実施形態を参考として説明されたが、これは、例示的なものに過ぎず、当業者ならば、これから多様な変形及び均等な他の実施形態が可能であることが分かるであろう。したがって、本発明の真の保護範囲は、特許請求の範囲の技術的思想によって決定されねばならない。
【産業上の利用可能性】
【００２９】
本発明は、プラズマディスプレイ装置に関連した技術分野に適用可能である。
【図面の簡単な説明】
【００３０】
【図１】通常的なＰＤＰの支持構造についての概略的な斜視図である。
【図２】図１に示されたＰＤＰの支持構造の組立て状態を示す断面図である。
【図３】図１及び図２に示された両面テープについての概略的な斜視図である。
【図４】本発明に係るＰＤＰ付着用の両面テープの第１実施形態を概略的に示す斜視図である。
【図５】本発明に係るＰＤＰ接着用の両面テープの第２実施形態について概略的に示す斜視図である。
【図６】本発明に係る両面テープがＰＤＰとベースシャーシとの間に付着されたことを概略的に示す斜視図である。
【図７】本発明に係るＰＤＰ接着用の両面テープを備えるプラズマディスプレイ装置についての概略的な斜視図である。
【符号の説明】
【００３１】
４０    両面テープ、
４１    第１接着面、
４２    凸状部、
４３    谷部。
【図１】
2006113582.tif 000003
【図２】
2006113582.tif 000004
【図３】
2006113582.tif 000005
【図４】
2006113582.tif 000006
【図５】
2006113582.tif 000007
【図６】
2006113582.tif 000008
【図７】
2006113582.tif 000009